(57)【特許請求の範囲】
【請求項１】
貯槽のドーム屋根周縁位置より身長高さ程度下がった位置の側壁周囲に、水平に取付ける踏板を構成部材とする歩廊を設け、かつ踏板の上側外周縁に直立状に設けた手摺の上端部とドーム屋根周縁近傍との間にかけ渡す傾斜した覆い板を設け、踏板上部に屋根付通路空間を形成したドーム屋根の積雪防止構造であって、
前記手摺の支柱にガイド溝を設け、
前記支柱間のガイド溝に前記覆い板を挿通し、
前記覆い板を使用する際に、前記覆い板を上方に引き抜き移動させ、前記覆い板の下端縁が前記手摺の上部に至った際に抜け出ることなく回動するように形成した回動係合部で前記覆い板を回動させ、前記ドーム屋根の外周縁に設けた係着部に前記覆い板の上端縁をかけ渡し接続して前記歩廊の上部を覆うことを特徴とするドーム屋根の積雪防止構造。
【請求項２】
貯槽のドーム屋根周縁近傍の側壁周囲に、水平に取付ける踏板を構成部材とする歩廊を設け、該踏板の上部外周縁からドーム屋根周縁にかけ渡す覆い板を傾斜させて設け、該覆い板とドーム屋根周縁近傍の側壁と上記踏板とで閉空間を形成したドーム屋根の積雪防止構造であって、
上記踏板の上側外周縁に間隔をおいて垂直に立設した支柱の下端取付部を回動可能となるように回動支軸に取付け、該支柱は両側にガイド溝を有し、該支柱間に手摺を形成し、該支柱を回動させるとともに該手摺を傾斜させ、該手摺の外面側に位置する支柱のガイド溝内に覆い板をドーム屋根の上から滑らせるように移動して差し込み設置し、踏板の上側外周縁からドーム屋根周縁にかけ渡すことを特徴とするドーム屋根の積雪防止構造。
【請求項３】
貯槽のドーム屋根周縁位置より身長高さ程度下がった位置の側壁周囲に、水平に取付ける踏板を構成部材とする歩廊を設け、かつ踏板の上側外周縁に直立状に設けた手摺の上端部とドーム屋根周縁近傍との間にかけ渡す傾斜した覆い板を設け、踏板上部に屋根付通路空間を形成したドーム屋根の積雪防止構造であって、
上記覆い板は不使用時には吊下げ状にドーム屋根周縁近傍の側壁に固定し、使用時にはこの覆い板を手摺の上端部とドーム屋根周縁近傍との間にかけ渡す構造としたことを特徴とするドーム屋根の積雪防止構造。
【発明の詳細な説明】
【０００１】
【発明の属する技術分野】
この発明は、液体や低温液化ガス、粉体、粒状物などの各種貯蔵物を貯蔵する貯槽等構造物におけるドーム屋根上及び屋根周縁の側壁歩廊上に積もる雪を、貯槽周囲に滑り落とす積雪防止構造に関するものである。
【０００２】
【従来の技術】
図８に概略を示すように、ドーム屋根３１の外周縁近傍の側板３２外周に歩廊３３を設けた貯槽等構造物では、ドーム屋根３１及び歩廊３３の上に降る雪３７が、水平な歩廊３３上に溜って高く堆積し、かつ図の破線で示す垂直な手摺３４に遮られてしまうため、図の矢印の方向には落ち難い構造であった。そのため、ドーム屋根３１及び歩廊３３は、この積雪荷重に耐えられる剛強度にする必要があった。また、危険な高所作業を伴う雪降し作業が必要となる場合も生じた。
【０００３】
そこで、上述の不具合を解消するために、歩廊３３上に積もった雪を矢印のように外周部に滑らせて落とすようにした積雪防止装置が考えられている。この従来技術の積雪防止装置は、図の実線で示すように、前記歩廊３３の踏板３５を、外側に向かって低くなるように傾斜した平板、チェッカードプレート等で形成し、また、歩廊３３の手摺３４を、図の破線で示すように、降雪時には取外して別の位置に移動するようにしている。
【０００４】
【発明が解決しようとする課題】
図８に示すような積雪防止装置は、歩廊３３の踏板３５を外側に向かって低くなるように傾斜させて形成しているので、上記踏板３５の傾斜角度を大きくすると、この傾斜した歩廊３３の上部を歩く際に、姿勢が斜めになって歩き難くなることがあった。また、雨が降っている時、或いは雪が降り始めた時期、雪が残る時期、雨水等の凍結が生じている時期などには、傾斜した踏板３５上面が滑り易くなる心配があった。また、滑らないように安全性を配慮して踏板３５の傾斜角度をできるだけ小さくすると、踏板３５上に積もった雪が滑り落ち難くなってしまうおそれがあった。
【０００５】
また、上述の積雪防止装置では、取外した手摺３４の保管場所が必要となり、その移設や復旧の作業に手間がかかり、また、手摺３４の構成部材である水平部材等については、枠状で嵩張るため広い保管場所を必要として、その移設や復旧の作業が繁雑になって大変であった。
【０００６】
この発明は、上述の従来技術が有する課題に鑑みてなされたもので、ドーム屋根上及び歩廊上に積もる雪が滑り落ち易い構造で、かつ歩廊の手摺を有効利用し、また歩廊上での作業も滑る心配がなく安全に行えるようにした積雪防止構造を提供するものである。
【０００７】
【課題を解決するための手段】
この発明に係るドーム屋根の積雪防止構造は、
貯槽のドーム屋根周縁位置より身長高さ程度下がった位置の側壁周囲に、水平に取付ける踏板を構成部材とする歩廊を設け、かつ踏板の上側外周縁に直立状に設けた手摺の上端部とドーム屋根周縁近傍との間にかけ渡す傾斜した覆い板を設け、踏板上部に屋根付通路空間を形成したドーム屋根の積雪防止構造であって、
前記手摺の支柱にガイド溝を設け、
前記支柱間のガイド溝に前記覆い板を挿通し、
前記覆い板を使用する際に、前記覆い板を上方に引き抜き移動させ、前記覆い板の下端縁が前記手摺の上部に至った際に抜け出ることなく回動するように形成した回動係合部で前記覆い板を回動させ、前記ドーム屋根の外周縁に設けた係着部に前記覆い板の上端縁をかけ渡し接続して前記歩廊の上部を覆うことを特徴とする。
【０００８】
また、この発明のドーム屋根の積雪防止構造は、貯槽のドーム屋根周縁近傍の側壁周囲に、水平に取付ける踏板を構成部材とする歩廊を設け、該踏板の上部外周縁からドーム屋根周縁にかけ渡す覆い板を傾斜させて設け、該覆い板とドーム屋根周縁近傍の側壁と上記踏板とで閉空間を形成したドーム屋根の積雪防止構造であって、
上記踏板の上側外周縁に間隔をおいて垂直に立設した支柱の下端取付部を回動可能となるように回動支軸に取付け、該支柱は両側にガイド溝を有し、該支柱間に手摺を形成し、該支柱を回動させるとともに該手摺を傾斜させ、該手摺の外面側に位置する支柱のガイド溝内に覆い板をドーム屋根の上から滑らせるように移動して差し込み設置し、踏板の上側外周縁からドーム屋根周縁にかけ渡すことを特徴とする。
【０００９】
また、この発明のドーム屋根の積雪防止構造は、貯槽のドーム屋根周縁位置より身長高さ程度下がった位置の側壁周囲に、水平に取付ける踏板を構成部材とする歩廊を設け、かつ踏板の上側外周縁に直立状に設けた手摺の上端部とドーム屋根周縁近傍との間にかけ渡す傾斜した覆い板を設け、踏板上部に屋根付通路空間を形成したドーム屋根の積雪防止構造であって、上記覆い板は不使用時には吊下げ状にドーム屋根周縁近傍の側壁に固定し、使用時にはこの覆い板を手摺の上端部とドーム屋根周縁近傍との間にかけ渡す構造としたことを特徴とする。

【００１１】
【発明の実施の形態】
図１乃至図７に基づいて、この発明に係るドーム屋根の積雪防止構造の実施形態例について説明する。
【００１２】
図１は、側壁２の上部を覆うドーム屋根１の周縁近傍の側壁２に歩廊３を備えた貯槽における積雪防止構造の実施形態例を示す。この歩廊３は、グレーチング、チェッカードプレート、平板などを用いて滑らないように略水平に設置した踏板５と、アングル材、チャンネル材などの形鋼材を用いて間隔をおいて垂直に立設された支柱６と、この支柱６，６間にパイプ材などを用いて水平に設けられた上部手摺り、平帯板材を用いて水平に設けられた中間手摺り、及び平帯板材を用いて水平に設けられた爪先板からなる手摺４とから形成され、踏板５の下部は形鋼材よりなる傾斜した支持材によって側壁２に支持されている。
【００１３】
ドーム屋根１の上及び歩廊３の上に積もる雪７を、図１の矢印に沿って貯槽の周囲に滑り落とすように形成する積雪防止構造は、支柱６及び手摺４を取外した後に、歩廊３の踏板５上部を覆う位置で、屋根周縁近傍に設けた差込支え具９と踏板５の外周縁近傍に設けた差込止め具１０との間に、ドーム屋根１の傾斜角度に合わせて連続するように、外側下方に向かって傾斜する覆い板８をかけ渡して設けたものである。
【００１４】
この覆い板８をかけ渡す傾斜角度は、歩廊３の側壁２への設置高さ位置によって制約されるが、ドーム屋根１の周縁近傍の傾斜角度は約３０度程度であるので、この傾斜角度に連続するように、例えば、約２０度乃至約４０度程度の比較的急な傾斜角度となるように形成する。なお、歩廊３の位置が側壁２の最上端部にあるような場合には、覆い板８の傾斜角度は大きく取れないが、雪が滑り落ち易い傾斜角度、例えば１０度程度の傾斜角度となるように、覆い板８をドーム屋根１の周縁より上方まで延出して設置するのが好ましい。
【００１５】
このように踏板５の上部に覆い板８をかけ渡して設けたドーム屋根の積雪防止構造は、覆い板８と側壁２と踏板５に囲まれた断面略三角形のリング状の閉空間Ａが形成されるので、日中の太陽熱によってこの閉空間Ａ内部の空気が温められて保温性能を有するため、覆い板８の上部に積もる雪の下面境界部が温められ溶けて水膜を形成し、摩擦抵抗が減少して積もった雪が滑り落ち易くなる。なお、上記閉空間Ａを形成する踏板５は、この閉空間Ａ内の温められた空気が漏れることなく密閉性を保つ部材、平板、チェッカードプレート等を使用するのが好ましい。また上記閉空間Ａは、強制的に積雪防止用の温風を送り込み円周方向に循環させ覆い板８を下方から温める温風通路としても使用することができる。
【００１６】
上記覆い板８は、アルミニウム材や鋼板材などの金属材料、或いは不燃性又は難燃性の合成樹脂材料などを使用し、上面は雪が滑り易くなるように平滑面に形成し、又は傾斜方向に沿った浅い溝などを設けて、雪が付着し難く、雪が溶けて水膜を形成して滑り易くなるように形成する。また、鋼板材などを使用する場合は腐食しないように、防錆塗装やコーティングなどによって表面処理を行う。また覆い板８は、積雪荷重によって容易にたわむことのない厚さの平板、或いは波板、凹凸山形板などとするか、又は薄い板の裏面に補強枠材などを設けてパネル状に形成し、持ち運びや保管などが容易な寸法、例えば、横１メートル、縦１乃至１．５メートル程度で、３０キログラム程度以下の軽量に形成する。このように軽量で取扱い易い寸法の板状やパネル状に形成するので、運搬や設置の着脱作業が容易で、補修や取替も単体の板やパネルごとに行うことができるため作業能率がよい。また、平板やパネルの側縁相互を重ね合せて設置すると、雪の荷重に対する曲げ強度がさらに向上する。
【００１７】
また支柱６及び手摺４は、通常に使用している位置から取外し、覆い板８の下部の踏板５上に移設し保管する。例えば、図１の破線で示すように、踏板５上に手摺４を斜めにかけ渡して設置し、その上に覆い板８を載置し支持するようにすると、積った雪７の荷重に対して覆い板８のたわみ防止の支えとして有効に利用することができる。
【００１８】
図２は、ドーム屋根１の周縁位置より身長高さ程度下がった位置の側壁２に、歩廊３を備えた貯槽における積雪防止構造の実施形態例を示す。歩廊３は、略水平な踏板５と、踏板５の上側外周縁に垂直に立設された支柱６と、支柱６，６間に水平に設けられた手摺４とから構成されている。この積雪防止構造は、ドーム屋根１及び歩廊３の上に積もる雪７を、図の矢印に沿って貯槽の周囲に滑り落とすように、歩廊３の手摺４上部を覆う覆い板８を傾斜させて設けたものである。つまり覆い板８は、屋根周縁近傍に設けた支え具１１と手摺４の上端部に設けた止め具１２との間に、ドーム屋根１の傾斜角度から連続するように外側下方に向かってかけ渡して設置する。
【００１９】
このように、歩廊３の支柱６及び手摺４は取外すことなくそのままにして、屋根周縁近傍と手摺４の上端部との間に、覆い板８をかけ渡して設置すると、覆い板８の下部の歩廊３の踏板５上には、作業者が少し屈んだ状態で通行可能な通路空間Ｂを形成することができる。またこの通路空間Ｂは、歩廊３の支柱６及び手摺４間が空いているので暗くなることなく、屋根があるので降雨時や降雪時の点検作業や、下方から覆い板８を振動させるなどして雪落しの作業等に、有効利用することが可能となる。また、支柱６及び手摺４を取外す必要がないのでその保管場所が不要で、支柱６及び手摺４を覆い板８の支えとして有効に利用することができる。
【００２０】
図３は、参考例を示すもので、この場合には歩廊３の支柱６及び手摺４は、通常に使用する時の支柱固定部１３から引抜き取外し、踏板５の内側に設けた支柱仮設部１４に差込み移設するように形成したものである。この踏板５の上部に、平板パネル状の覆い板８，８を傾斜させ並列して設置するもので、ドーム屋根１の周縁に設けた差込支え具９の溝に覆い板８の上端縁を差し込み、かつ踏板５周縁の型枠上に設けた差込止め具１０の溝に覆い板８の下端縁を差し込んで固定する。なお、移設した手摺４の上端部を覆い板８に接触させて、覆い板８を下部から支えるように支柱仮設部１４に設置すると、積雪荷重による覆い板８のたわみを防止することができる。
【００２１】
図４は、図１に示した積雪防止構造の他の実施形態例を示すもので、手摺４の垂直な支柱６を、例えば両側にガイド溝１５，１５を有するＨ形鋼材で形成し、この支柱６の下端取付部は回動可能となるように回動支軸１６に取付ける。また、手摺４の水平な上部手摺りはパイプ材又は帯板材で形成し、また中間手摺り及び爪先板は帯板材で形成し、上記Ｈ形鋼材よりなる支柱６の内面側に取付ける。そして、積雪時には、支柱６，６を回動させ所定幅の手摺４を傾斜させた後、この支柱６，６間の上部手摺り、中間手摺り、爪先板よりなる手摺４の外面側に位置する支柱６，６のＨ形鋼材のガイド溝１５，１５内に、覆い板８をドーム屋根１の上から滑らせるように移動して差し込み設置する。
【００２２】
この図４に示す支柱６及び手摺４は覆い板８の設置に有効利用されるとともに、覆い板８は支柱６のＨ形鋼材のガイド溝１５，１５内に側縁をガイドされて支持され、また上部手摺り、中間手摺り、爪先板よりなる手摺４によってもその下部を支持されるので、積雪荷重に強い構造となる。また、支柱６及び手摺４は取付け取外しの手間を要することがなく、保管場所を必要とすることもなく、また邪魔になることもない。
【００２３】
図５は、図２に示した積雪防止構造の他の実施形態例を示すもので、歩廊３の内側上部でドーム屋根１周縁近傍の側壁２に、覆い板８の上端縁を回動するように、回動支持部１７で吊下げ状に固定したものである。また、手摺４は、支柱６の下端部を回動支軸１８に固定する。積雪防止のために覆い板８を使用する際には、支柱６及び手摺４を外側に少し回動させて、覆い板８を回転支持部１７を支軸にして回転させ斜め上方に引き上げた後、支柱６及び手摺４を内側に回動させ戻して、覆い板８の下部を支持し、止め具１９で手摺４上端部と固定して設置する。
【００２４】
図５に示す覆い板８は、積雪防止に使用しない通常の時には、歩廊３上の側壁２の壁面に密着させ吊下げて保管しておくため、点検作業時に歩廊３上を通行する際の邪魔になることがない。また、取付け取外しの作業も簡単容易となり、歩廊３上で作業を行うので安全となる。また、覆い板８を下から持ち上げて振動を与えるなどして、上部に積もった雪を強制的に落とすことも可能となる。
【００２５】
図６は、図２に示した積雪防止構造の変化例を示すもので、手摺４の支柱６にガイド溝２０を設け、この支柱６，６間のガイド溝２０，２０に覆い板８を挿通し保管するように形成した事例を示す。この場合、覆い板８を使用する際には、図の矢印のように上方に引き抜き移動させ、その下端縁が手摺上部に至った際に、抜け出ることなく回動するように形成した回動係合部２１で回動させ、ドーム屋根１の外周縁に設けた係着部２２に覆い板８の上端縁をかけ渡し接続して歩廊３の上部を覆うように形成する。この場合、覆い板８を使用しない時には、通行の邪魔にならないように手摺４の支柱６，６間に保管しておくことができる。
【００２６】
図７は、コンクリート側壁２を有し、その上部近傍に歩廊２３と手摺２４を備えた貯槽におけるドーム屋根１の積雪防止構造の実施形態例である。図のように、歩廊２３の上部、ドーム屋根１周縁部の支え具２５と手摺２４上端部の止め具２６との間に、覆い板８をかけ渡し傾斜させて設置する。或いは、前述と同様に、手摺２４を取外し又は傾斜させて歩廊２３の上に収納し、その上に覆い板８を傾斜させて設置するようにしてもよい。このコンクリート側壁２を有する貯槽に設けた積雪防止構造の場合にも、ドーム屋根１及び歩廊２３上に積もった雪を貯槽の外周に滑らせて落とすことができるので、屋根骨等の剛強度構造を軽減することが可能となる。
【００２７】
【発明の効果】
叙述の説明で明らかなように、この発明に係るドーム屋根の積雪防止構造は、貯槽のドーム屋根周縁近傍の側壁周囲に、水平に取付ける踏板を構成部材とする歩廊を設け、該踏板の上部外周縁からドーム屋根周縁にかけ渡す覆い板を傾斜させて設け、該覆い板とドーム屋根周縁近傍の側壁と上記踏板とで閉空間を形成したので、覆い板と側壁と踏板に囲まれた断面略三角形のリング状の密閉された空間が、日中の太陽熱によって温められて保温性能を有するため、覆い板上面境界部の雪を温め溶かし、滑り易さを増して落下し易くすることができる。また、ドーム屋根上に積もった雪も、ドーム屋根の傾斜角度に沿って降下し、この傾斜角度に連続する覆い板上を次々と滑り落ちて、貯槽の外周に容易に落下させることができる。なお、覆い板を設けない通常使用時には、歩廊の踏板は傾斜していないので、作業者の通行の際に不安定感を生じることなく、また、降雨や残雪、凍結などがある時の歩廊上の通行や作業の際に、作業者の足が滑ったりする心配がない。
【００２８】
また、上記踏板の上側外周縁に間隔をおいて垂直に立設した支柱の下端取付部を回動可能となるように回動支軸に取付け、該支柱は両側にガイド溝を有し、該支柱間に手摺を形成し、該支柱を回動させるとともに該手摺を傾斜させ、該手摺の外面側に位置する支柱のガイド溝内に覆い板をドーム屋根の上から滑らせるように移動して差し込み設置し、踏板の上部外周縁からドーム屋根周縁にかけ渡すこととしたドーム屋根の積雪防止構造は、手摺を覆い板の支えやガイドに有効利用することができるので、積雪による曲げ荷重に対して強い構造となる。また、手摺を取付け取外しする手間がかからず、手摺の保管場所を必要とすることもなく、また手摺が邪魔になることもない。また、覆い板は薄い平板やパネル板状であるため、運搬や設置がし易く、覆い板の保管も容易となる。
【００２９】
また、この発明のドーム屋根の積雪防止構造は、貯槽のドーム屋根周縁位置より身長高さ程度下がった位置の側壁周囲に、水平に取付ける踏板を構成部材とする歩廊を設け、かつ踏板の上側外周縁に直立状に設けた手摺の上端部とドーム屋根周縁近傍との間にかけ渡す傾斜した覆い板を設け、踏板上部に屋根付通路空間を形成したので、覆い板下部の通路空間内を通行して点検作業や雪落し作業などに有効利用することが可能となる。また上記通路空間内は、歩廊の手摺間が空いているので暗くなることなく、降雨時や積雪時にも屋根があるので、点検作業もやり易くなる。また、歩廊の手摺は外す手間がなく、保管場所を必要とせず、邪魔にもならず、手摺を覆い板の支えとして有効に利用することができる。
【００３０】
また、上記覆い板は不使用時には吊下げ状にドーム屋根周縁近傍の側壁に固定し、使用時にはこの覆い板を手摺の上端部とドーム屋根周縁近傍との間にかけ渡す構造とした積雪防止装置は、覆い板不使用時の保管した状態で、点検作業のために歩廊を通行する際の邪魔になることがなく、また、簡単容易に覆い板を設置し使用することができる。また、覆い板の下から振動を与えることによって、上部に積もった雪を強制的に落とすことも可能となる。また、前記手摺の支柱にガイド溝を設け、前記支柱間のガイド溝に前記覆い板を挿通し、前記覆い板を使用する際に、前記覆い板を上方に引き抜き移動させ、前記覆い板の下端縁が前記手摺の上部に至った際に抜け出ることなく回動するように形成した回動係合部で前記覆い板を回動させ、前記ドーム屋根の外周縁に設けた係着部に前記覆い板の上端縁をかけ渡し接続して前記歩廊の上部を覆う場合は、覆い板を使用しない時には、通行の邪魔にならないように手摺の支柱間に保管しておくことができる。
【００３１】
【図面の簡単な説明】
【図１】  この発明に係るドーム屋根の積雪防止構造の実施形態例を示す一部を欠除した側断面説明図である。
【図２】  この発明に係るドーム屋根の積雪防止構造の他の実施形態例を示す一部を欠除した側断面説明図である。
【図３】  参考例を示す一部を欠除した斜視説明図である。
【図４】  図１の手摺を回動傾斜させて利用する構造にした実施形態例を示す一部を欠除した斜視説明図である。
【図５】  図２の覆い板を側壁に吊下げ設置する構造にした実施形態例を示す一部を欠除した側断面説明図である。
【図６】  図２の覆い板を手摺に保管し引き出して設置する構造にした実施形態例を示す一部を欠除した側断面説明図である。
【図７】  コンクリート側壁を有する貯槽におけるドーム屋根の積雪防止構造の実施形態例を示す一部を欠除した側断面説明図である。
【図８】  従来の積雪防止装置の概略構造を示す側面説明図である。
【符号の説明】
１  ドーム屋根
２  側壁
３  歩廊
４  手摺
５  踏板
６  支柱
７  雪
８  覆い板
９  差込支え具
１０  差込止め具
Ａ  閉空間
Ｂ  通路空間
１１  支え具
１２  止め具
１３  支柱固定部
１４  支柱仮設部
１５  ガイド溝
１６  回動支軸
１７  回動支持部
１８  回動支軸
１９  止め具
２０  ガイド溝
２１  回動係合部
２２  係着具
２３  歩廊
２４  手摺
２５  支え具
２６  止め具
３１  ドーム屋根
３２  側板
３３  歩廊
３４  手摺
３５  踏板
３６  支持材
３７  雪
【図１】
0004370589.tif 000002
【図３】
0004370589.tif 000003
【図４】
0004370589.tif 000004
【図５】
0004370589.tif 000005
【図６】
0004370589.tif 000006
【図７】
0004370589.tif 000007
【図８】
0004370589.tif 000008
【図２】
0004370589.tif 000009